(57)【要約】【課題】  特にジャケット内における冷却水による熱の冷却効果を高めることができる水冷式モーターのジャケットを提供する。【解決手段】外円筒と、外周面に、前記外円筒の内周面に連結すると共に、外円筒の長手方向と同一の長さを有する、複数の細長状を呈する連結部が設けられ、該連結部の上端に通過口が形成されると共に、各連結部の両端下段部にそれぞれネジ孔が形成され、且つ、該連結部の各通過口が前記外円筒において交互に反対する端に形成される内円筒と、前記外円筒と内円筒との間に設けられる冷却水路と、前記冷却水路に位置するように、内円筒の外周面に設けられる複数の放熱フィンとを提供する。【選択図】  図１
0003178387.tif 000002
【実用新案登録請求の範囲】
【請求項１】
外円筒と、
外周面に、前記外円筒の内周面に連結すると共に、外円筒の長手方向と同一の長さを有する、複数の細長状を呈する連結部が設けられ、該連結部の上端に通過口が形成されると共に、各連結部の両端下段部にそれぞれネジ孔が形成され、且つ、該連結部の各通過口が前記外円筒において交互に反対する端に形成される内円筒と、
前記外円筒と内円筒との間に設けられる冷却水路と、
前記冷却水路に位置するように、内円筒の外周面に設けられる複数の放熱フィンとを有することを特徴とする水冷式モーターのジャケット。
【請求項２】
前記内円筒の外周面における各連結部の間に、該内円筒の軸方向に沿ってそれぞれ複数の細長状の放熱フィンが設けられることを特徴とする請求項１に記載の水冷式モーターのジャケット。
【請求項３】
前記外円筒は、両端近傍において外周面を貫通するように形成され、冷却水路と連通する注水口及び排出口と、該注水口と排出口との間に位置するように、軸方向に沿って外円筒の内周面から内円筒の外周面にかけて一体に設けられる細長状を呈する遮断部とを有することを特徴とする請求項２に記載の水冷式モーターのジャケット。
【請求項４】
前記外円筒は、一端近傍において外周面を貫通するように形成される注水口と、該注水口と反対する端の近傍において外周面を貫通するように形成される排出口と、軸方向に沿って該注水口と反対する端から該注水口の近傍までの位置及び該排出口と反対する端から該排出口の近傍までの位置にそれぞれ、内円筒の外周面にかけて一体に設けられる遮断部とを有することを特徴とする請求項２に記載の水冷式モーターのジャケット。
【請求項５】
前記外円筒の外周面における注水口と排出口との間に吊り孔が凹設されることを特徴とする請求項３または４に記載の水冷式モーターのジャケット。
【請求項６】
外円筒と、
外周面に、前記外円筒の内周面に連結すると共に、外円筒の長手方向と同一の長さを有する、複数の細長状を呈する連結部が設けられ、し各連結部の両端下段部に通過口が形成されると共に、各連結部の両端下段部にそれぞれネジ孔が形成され、且つ、該連結部の各通過口が前記外円筒において交互に反対する端に形成される内円筒と、
前記外円筒と内円筒との間に形成される冷却水路と、
前記冷却水路に位置するように、内円筒の外周面に設けられる複数の放熱フィンとを備えるジャケットと、
前記内円筒の内部に軸方向に沿って設置されるモーター部材と、
前記外円筒と内円筒との間に形成された冷却水路を密封するように、ジャケットの一端及び他端に取り付けられる蓋Ａ及び蓋Ｂと、
前記蓋Ａとジャケットとの間及び蓋Ｂとジャケットとの間にそれぞれ挟設されるガスケットＣと、を有することを特徴とする水冷式モーター。
【請求項７】
前記内円筒の外周面における各連結部の間に、該内円筒の軸方向に沿ってそれぞれ複数の細長状の放熱フィンが設けられることを特徴とする請求項６に記載の水冷式モーター。
【請求項８】
前記外円筒は、両端近傍において外周面を貫通するように形成され、冷却水路と連通する注水口及び排出口と、該注水口と排出口との間に位置するように、軸方向に沿って外円筒の内周面から内円筒の外周面にかけて一体に設けられる細長状を呈する遮断部とを有することを特徴とする請求項７に記載の水冷式モーター。
【請求項９】
前記外円筒は、一端近傍において外周面を貫通するように、形成される注水口と、該注水口と反対する端において外周面を貫通するように、形成される排出口と、軸方向に沿って該注水口と反対する端から該注水口の近傍までの位置及び該排出口と反対する端から該排出口の近傍までの位置にそれぞれ、内円筒の外周面にかけて一体に設けられる遮断部とを有することを特徴とする請求項７に記載の水冷式モーター。
【請求項１０】
前記外円筒の外周面における注水口と排出口との間に吊り孔が凹設されることを特徴とする請求項８または９に記載の水冷式モーター。
【考案の詳細な説明】
【技術分野】
【０００１】
本考案は、ジャケット内に冷却水を流すことによって、熱を排出して冷却する技術に用いる水冷モーター及びそのジャケットに関するものである。
【背景技術】
【０００２】
図１５及び図１６に示すように、既存の水冷式モーターのジャケットは、外円筒８０及び内円筒９０を備え、該外円筒８０両端近傍にそれぞれ、該外円筒８０の外周面を貫通するように注水口８１及び排出口８２が形成され、該注水口８１及び排出口８２にそれぞれ制御弁が設けられ、一方、該内円筒９０は、外円筒８０に内設され、その外周面に螺旋状のガイド部９１が凸設され、該内円筒９０と外円筒８０との間に冷却水路９２が形成され、この構造によれば、モーター（図示せず）が内円筒９０の内部に取り付けられるので、モーターをジャケットにしっかりと設置することができる。
【０００３】
また、この構成においては、使用時にモーターの運転で熱が発生すると、熱がジャケットの内円筒９０に伝わり、冷却水が注水口８１の制御弁から冷却水路９２に送られ、排出口８２の制御弁から排出されることよって、モーターから発生した熱を外部へ排出する。
【先行技術文献】
【特許文献】
【０００４】
【特許文献１】特開平１１−１３２０４０号公報
【考案の概要】
【考案が解決しようとする課題】
【０００５】
上述したように、既存の水冷式モーターのジャケットは、熱を排出することはできるが、熱排出効率をより向上させるために、改良する必要があった。
【課題を解決するための手段】
【０００６】
本考案に係る水冷モーターのジャケットは、外円筒と、外周面に、前記外円筒の内周面に連結すると共に、外円筒の長手方向と同一の長さを有する、複数の細長状を呈する連結部が設けられ、該連結部の上端に通過口が形成されると共に、各連結部の両端下段部にそれぞれネジ孔が形成され、且つ、該連結部の各通過口が前記外円筒において交互に反対する端に形成される内円筒と、前記外円筒と内円筒との間に設けられる冷却水路と、前記冷却水路に位置するように、内円筒の外周面に設けられる複数の放熱フィンとを有するものである。
【０００７】
前記内円筒の外周面における各連結部の間に、該内円筒の軸方向に沿ってそれぞれ複数の細長状の放熱フィンが設けられることが好ましい。
【０００８】
前記外円筒は、両端近傍において外周面を貫通するように形成され、冷却水路と連通する注水口及び排出口と、該注水口と排出口との間に位置するように、軸方向に沿って外円筒の内周面から内円筒の外周面にかけて一体に設けられる細長状を呈する遮断部とを有してもよい。
【０００９】
前記外円筒は、一端近傍において外周面を貫通するように形成される注水口と、該注水口と反対する端の近傍において外周面を貫通するように形成される排出口と、軸方向に沿って該注水口と反対する端から該注水口の近傍までの位置及び該排出口と反対する端から該排出口の近傍までの位置にそれぞれ、内円筒の外周面にかけて一体に設けられる遮断部とを有してもよい。
【００１０】
前記外円筒の外周面における注水口と排出口との間に吊り孔が凹設されることが好ましい。
【００１１】
本考案に係る水冷モーターは、外円筒と、外周面に、前記外円筒の内周面に連結すると共に、外円筒の長手方向と同一の長さを有する、複数の細長状を呈する連結部が設けられ、し各連結部の両端下段部に通過口が形成されると共に、各連結部の両端下段部にそれぞれネジ孔が形成され、且つ、該連結部の各通過口が前記外円筒において交互に反対する端に形成される内円筒と、前記外円筒と内円筒との間に形成される冷却水路と、前記冷却水路に位置するように、内円筒の外周面に設けられる複数の放熱フィンとを備えるジャケットと、前記内円筒の内部に軸方向に沿って設置されるモーター部材と、前記外円筒と内円筒との間に形成された冷却水路を密封するように、ジャケットの一端及び他端に取り付けられる蓋Ａ及び蓋Ｂと、前記蓋Ａとジャケットとの間及び蓋Ｂとジャケットとの間にそれぞれ挟設されるガスケットＣと、を有するものである。
【考案の効果】
【００１２】
以下、本考案に係る水冷式モーター及びそのジャケットにおいて達成可能な効果を示す。
１．熱排出効果の向上：ジャケットの冷却水路に位置するように、内円筒に複数の放熱フィンが設けられることから、注入した冷却水がそれら大面積の放熱フィンと接触するので、モーターからの熱を素早く排出して冷却効果を高めることができる。
２．モーター部材の寿命の延長：本考案に係る水冷式モーターのジャケットは、放熱効果に優れることから、モーターに高温による悪影響を及ぼすことはないので、使用寿命を延長することができる。
【図面の簡単な説明】
【００１３】
【図１】本考案に係る水冷式モーターのジャケットにおける第一実施例の斜視図である。
【図２】本考案に係る水冷式モーターのジャケットにおける第一実施例の正面図である。
【図３】本考案に係る水冷式モーターのジャケットにおける第一実施例の背面図である。
【図４】本考案に係る水冷式モーターのジャケットにおける第一実施例の部分斜視断面図である。
【図５】本考案に係る水冷式モーターにおける第一実施例の斜視図である。
【図６】本考案に係る水冷式モーターにおける第一実施例の部分側面断面図である。
【図７】本考案に係る水冷式モーターにおける第一実施例の分解斜視図である。
【図８】本考案に係る水冷式モーターのジャケットにおける第二実施例の斜視図である。
【図９】本考案に係る水冷式モーターのジャケットにおける第二実施例の正面図である。
【図１０】本考案に係る水冷式モーターのジャケットにおける第二実施例の背面図である。
【図１１】本考案に係る水冷式モーターのジャケットにおける第二実施例の部分斜視断面図である。
【図１２】本考案に係る水冷式モーターにおける第二実施例の斜視図である。
【図１３】本考案に係る水冷式モーターにおける第二実施例の部分側面断面図である。
【図１４】本考案に係る水冷式モーターにおける第二実施例の分解斜視図である。
【図１５】既存の水冷式モータージャケットの斜視図である。
【図１６】既存の水冷式モータージャケットにおける内円筒の斜視図である。
【考案を実施するための形態】
【００１４】
以下、添付図面を参照して本考案の好適な実施の形態を詳細に説明する。なお、下記実施例は、本考案の好適な実施の形態を示したものにすぎず、本考案の技術的範囲は、下記実施例そのものに何ら限定されるものではない。
【００１５】
図１乃至図３に示すように、本考案に係る水冷式モーターのジャケットは、外円筒１０と、該外円筒１０に内設される内円筒２０と、該外円筒１０と内円筒２０との間に形成される冷却水路３０と、該内円筒２０の外周面に凸設される複数の放熱フィン４０とを有する。
【００１６】
図１、図２及び図４に示すように、本考案に係る水冷式モーターのジャケットにおける第一実施例においては、外円筒１０が薄肉状の円筒体であり、両端近傍において外周面を貫通するように、形成される注水口１１及び排出口１２と、該外円筒１０の外周面における注水口１１と排出口１２との間に凹設される吊り孔１３と、遮断部１４とを備える。尚、前記吊り孔１３は、ネジ穴であっても構わなく、リング（図示せず）と組み合わせることにより、ジャケットを吊着することができる。
【００１７】
図４及び図６に示すように、前記遮断部１４は、細長のリブ状を呈し、注水口１１と排出口１２との間に位置するように、軸方向に沿って外円筒１０の内周面から内円筒２０の外周面にかけて一体に設けられ、また、その遮断部１４の一側における注入口１１の下方の一面に注入開口が形成されると共に、遮断部１４の他側における排出口１２の下方の他面に排出開口が形成される。
【００１８】
図１乃至図３に示すように、前記内円筒２０は、薄肉状の円筒体であり、直径が外円筒１０の直径より小さく、該外円筒１０の内部に設置され、また、該内円筒２０の外周面に、該外円筒１０の内周面に連結すると共に、外円筒１０の長手方向と同一の長さを有する複数の細長状を呈する連結部２１が間隔をおいて設けられ、該各連結部２１の両端下段部にそれぞれネジ孔２１１が凹設されると共に、上端に通過口２２が形成され、該各通過口２２は、外円筒１０において交互に内円筒２０の反対する端に形成される。
【００１９】
図１、図２及び図４に示すように、前記冷却水路３０は、外円筒１０と内円筒２０との間において連結部２１に沿って湾曲状に設けられ、一端が注水口１１の注入開口と連通すると共に、他端が排出口１２の流出開口と連通し、且つ全体がＳ字形の流路となっている。
【００２０】
上述したように、前記外円筒１０の遮断部１４が注水口１１と排出口１２との間の通路を遮断することから、冷却水が注水口１１から注入されると、直接に排出口１２から排出されるのではなく、外円筒１０と内円筒２０との間に形成された冷却水路３０を通って一周した後に排出口１２から排出される。
【００２１】
図１乃至図３に示すように、前記複数の放熱フィン４０は、冷却水路３０に位置するように、内円筒２０の外周面に設けられる。尚、前記複数の放熱フィン４０は、前記内円筒２０の外周面における隣り合う２つの導引部２１との間において、内円筒２０の軸方向に沿って細長状に設けられることが好ましい。
【００２２】
図１に示すように、本考案に係る水冷式モーターのジャケットを使用する時は、注水口１１及び排出口１２にそれぞれ制御弁Ｎを取り付け、冷却水を口１１の制御弁Ｎから注入して、Ｓ字形の冷却水路３０に沿って連結部２１の通過口２２を次々に通過させ、排出口１２の制御弁Ｎから排出する。この構成によれば、冷却水が複数の放熱フィン４０と接触してより大きな面積で熱を吸収することができることから、モーターからの熱をスムーズに排出できるので、優れた冷却効果を提供することができる。
【００２３】
図５乃至図７に示す本考案に係る水冷式モーターのジャケットの実施例は、さらに、蓋Ａと、蓋Ｂと、２つのガスケットＣと、モーター部材（図に示せず）と、変速装置（図に示せず）とを組み立てて水冷式モーターを構成したものであり、その蓋Ａ及び蓋Ｂはそれぞれ、複数のボルトを介して内円筒２０のネジ孔２１１に螺合することにより、ジャケットの両端に取り付けられるので、蓋Ａ及び蓋Ｂが外円筒１０と内円筒２０との間に形成された冷却水路３０を密閉状態にすることができる。また、この構成においては、そのカバーＡの底部一側に耳部Ａ１が凸設される。なお、そのモーター部材は、軸を介して変速装置と連動するように装着されてもよく、軸をジャケットを通過して外部で変速装置と連動するように装着されてもよい。
【００２４】
前記２つのガスケットＣは、リング状を呈し、そのうち一方のガスケットが蓋Ａとジャケットとの間に挟持されると共に、他方のガスケットが蓋Ｂとジャケットとの間に挟持され、それらガスケットによって、冷却水路３０内における冷却水の外円筒１０の外部または内円筒２０の内部への漏れを防止する。
【００２５】
さらに、前記モーター部材（図示せず）は、軸が蓋Ｂの中心位置を貫通するように、内円筒２０の内部に軸方向に沿って設置される。
【００２６】
尚、本考案に係る水冷式モーターのジャケットにおいては、注水口１１及び排出口１２を設置しないまま、蓋Ａ及び蓋Ｂに制御弁を設置してもよく、つまり、冷却水を冷却水路３０に注入して熱を排出できればよい。
【００２７】
図８乃至図１１に示すように、本考案に係る水冷式モーターのジャケットにおける第二次実施例は、外円筒１０、内円筒２０、冷却水路３０、放熱フィン４０を有するものである。尚、以下にて、第一実施例と異なる点を説明する。
【００２８】
図８及び図１１に示すように、第二実施例における外円筒１０は、薄肉状を呈する円筒体であり、一端近傍において外周面を貫通するように注水口１１Ａが形成され、該注水口１１Ａと反対する端の近傍において外円筒１０の外周面を貫通するように排出口１２Ａが形成され、注水口１１の近傍において、外円筒１０の外周面における軸方向に沿って吊り孔１３が凹設される。尚、前記吊り孔１３は、ネジ孔であってもよく、リング（図示せず）と組み合わせてジャケットを吊着できればよい。
【００２９】
第二実施例における外円筒１０の遮断部１４Ａ、１４Ｂは、第一実施例と異なり、その内、遮断部１４Ａは、外円筒１０の軸方向に沿って注水口１１と反対する端から注水口１１の近傍までの位置から内円筒２０の外周面にかけて一体に設けられ、該遮断部１４Ｂは、外円筒１０の軸方向に沿って排出口１２と反対する端から内円筒２０の外周面にかけて一体に設けられ、更に、該遮断部１４Ａにおける注水口１１の下方両面にそれぞれ注入開口が形成されると共に、該排出口１２の下方両面にそれぞれ流出開口が形成される。
【００３０】
第二実施例における内円筒２０は、第一実施例の内円筒２０と殆ど同一であるが、それら連結部２１の通過口２２は、遮断部１４Ａと遮断部１４Ｂとの対応する直線を対称軸として、左右対称に形成され、また、左側及び右側の複数の連結部２１の通過口２２はそれぞれ交互に内円筒２０の反対する端に形成される。
【００３１】
冷却水路３０は、外円筒１０と内円筒２０との間において連結部２１に沿って略S字状に形成され、一端が注水口１１Ａの両側の注入開口と連通すると共に、他端が排出口１２の両側の流出開口と連通するので、冷却水は、Ｓ字の流路に沿って流れる。
【００３２】
複数の放熱フィン４０は、冷却水路３０に位置するように、内円筒２０の外周面に設けられるが、この時、前記内円筒２０の外周面における各導引部２１の間に、該内円筒２０の軸方向に沿ってそれぞれ細長状に設けられることが好ましい。
【００３３】
上述したように、第二実施例においては、冷却水を注水口１１から注入すると、冷却水が注水口１１の下方両面の注入開口から冷却水路３０に入り、外円筒１０と内円筒２０との間に形成された冷却水路３０をＵターンし、排出口１２の下方両面の流出開口から排出される。この構成によれば、冷却水路の長さが短く、冷却水の流速が速くなることから、吸熱効果が高まるので、水冷式モーターのジャケットの温度を平均的に下げることができる。
【産業上の利用可能性】
【００３４】
本考案に係る水冷式モーターのジャケットは、ジャケットの冷却水路に位置するように、内円筒に複数の放熱フィンが設けられることから、注入した冷却水がそれら放熱フィンと接触してより大きな面積で熱吸収して、モーターからの熱をスムーズに排出することにより、冷却効果を高めることができるので、モーター部材の使用寿命を延長することができる。
【符号の説明】
【００３５】
１０ 外円筒
１１ 注水口
１２ 排出口
１３ 吊り孔
１４ 遮断部
２０ 内円筒
２１ 連結部
２１１ ネジ孔
２２ 通過口
３０ 冷却水路
４０ 放熱フィン
Ａ カバー
Ｂ 蓋
Ｃ ガスケット
Ａ１ 耳部
１４Ａ、１４Ｂ 遮断部
１１Ａ 注水口
１２Ａ 排出口
【図１】
0003178387.tif 000003
【図２】
0003178387.tif 000004
【図３】
0003178387.tif 000005
【図４】
0003178387.tif 000006
【図５】
0003178387.tif 000007
【図６】
0003178387.tif 000008
【図７】
0003178387.tif 000009
【図８】
0003178387.tif 000010
【図９】
0003178387.tif 000011
【図１０】
0003178387.tif 000012
【図１１】
0003178387.tif 000013
【図１２】
0003178387.tif 000014
【図１３】
0003178387.tif 000015
【図１４】
0003178387.tif 000016
【図１５】
0003178387.tif 000017
【図１６】
0003178387.tif 000018